(57)【特許請求の範囲】
【請求項１】
第１壁及び当該第１壁に鉛直交差線で交差する第２壁によって規定されるコーナー部に設置可能なコーナー型洗面台であって、
ボウル部を有し、前記鉛直交差線に対向する前縁に車椅子使用者の正面位置を規定するカウンター部材と、
前記カウンター部材の下方で前記鉛直交差線よりも前記カウンター部材の前縁側に配置されて、車椅子使用者のつま先を突き当て可能なアプローチ規制部と、
前記カウンター部材の下方に配置され、前記ボウル部との間で給排水を行う配管と、
前記カウンター部材の下方で、前記配管よりも前記カウンター部材の前縁側に配置される配管カバーと、を備え、
前記アプローチ規制部は、前記配管カバーよりも前記鉛直交差線側であって前記配管カバーよりも下方に配置される、コーナー型洗面台。
【請求項２】
前記配管カバーから前記鉛直交差線に向かって前記アプローチ規制部までの距離は１６０ｍｍ〜２００ｍｍに設定される、請求項１に記載のコーナー型洗面台。
【請求項３】
前記配管カバーから前記鉛直交差線に向かって前記アプローチ規制部までの距離は、前記アプローチ規制部に車椅子使用者のつま先が突き当たった時に前記配管カバーに車椅子使用者の下肢が当たらない程度に設定される、請求項１または請求項２に記載のコーナー型洗面台。
【請求項４】
前記アプローチ規制部は、車椅子使用者のつま先が突き当たった時の衝撃を緩和する衝撃緩和手段を備える、請求項１〜３のいずれか１項に記載のコーナー型洗面台。
【請求項５】
前記衝撃緩和手段は、前記アプローチ規制部の前面に取り付けられた弾性部を有する、
請求項４に記載のコーナー型洗面台。
【請求項６】
前記衝撃緩和手段は前記アプローチ規制部の撓みによって実現される、請求項４に記載のコーナー型洗面台。
【請求項７】
前記アプローチ規制部は、当該コーナー型洗面台が設置される床面との間に隙間を形成する、請求項６に記載のコーナー型洗面台。
【請求項８】
前記アプローチ規制部の前面は、前記床面から上方に向かうにつれて前記鉛直交差線に近づく傾斜面から形成される、請求項１〜７のいずれか１項に記載のコーナー型洗面台。
【発明の詳細な説明】
【技術分野】
【０００１】
本発明は、互いに交差する一対の壁によって形成されるコーナー部に設置可能なコーナー型洗面台に関する。
【背景技術】
【０００２】
特許文献１には、例えば洗面所の１つの壁に沿って設置される洗面台が開示されている。この洗面台では、カウンター部材の下方に空間が形成されている。車椅子使用者がカウンター部材に向かって車椅子をアプローチさせると、車椅子使用者の下肢はカウンター部材の下方の空間に進入する。その後、車椅子使用者は、カウンター部材に対して正面位置に車椅子を停止させて洗面台を使用している。
【先行技術文献】
【特許文献】
【０００３】
【特許文献１】特開２００４−０１１９４０号公報
【特許文献２】特開２００４−２８６３１４号公報
【特許文献３】特開２００３−２７５１１３号公報
【発明の概要】
【発明が解決しようとする課題】
【０００４】
互いに交差する２つの壁によって形成されたコーナー部に設置されるコーナー型洗面台が知られている。このコーナー型洗面台において、例えば１つの壁に固定されるカウンター部材と同一の間口を確保する場合、カウンター部材のボウル部の後縁とコーナー部の隅との間に例えば三角形の領域が形成される。従って、コーナー型洗面台では、１つの壁に設置される洗面台と比較して、この三角形の領域の分だけカウンター部材の下方の空間の奥行きが増大することになる。その結果、車椅子はこれまで以上に奥までアプローチすることができるので、カウンター部材の下方に配置された配管などに車椅子使用者の下肢が衝突する危険性が増大する。
【０００５】
本発明はこのような課題に鑑みてなされたものであり、その目的は、車椅子使用者の下肢の衝突を防止することができるコーナー型洗面台を提供することにある。
【課題を解決するための手段】
【０００６】
上記課題を解決するために、本発明に係るコーナー型洗面台は、第１壁及び当該第１壁に鉛直交差線で交差する第２壁によって規定されるコーナー部に設置可能なコーナー型洗面台であって、ボウル部を有し、前記鉛直交差線に対向する前縁に車椅子使用者の正面位置を規定するカウンター部材と、前記カウンター部材の下方で前記鉛直交差線よりも前記カウンター部材の前縁側に配置されて、車椅子使用者のつま先を突き当て可能なアプローチ規制部と、前記カウンター部材の下方に配置され、前記ボウル部との間で給排水を行う配管と、前記カウンター部材の下方で、前記配管よりも前記カウンター部材の前縁側に配置される配管カバーと、を備え、前記アプローチ規制部は、前記配管カバーよりも前記鉛直交差線側であって前記配管カバーよりも下方に配置される。
【０００７】
このような構成によれば、カウンター部材の下方に、交差する第１壁及び第２壁の鉛直交差線よりもカウンター部材の前縁側にアプローチ規制部が配置される。このアプローチ規制部は、車椅子使用者がコーナー型洗面台にアプローチした際に、車椅子使用者のつま先を突き当て可能に構成されている。その結果、車椅子使用者の下肢がカウンター部材の下方の空間に進入し過ぎることを抑制することができるので、カウンター部材の下方に配置された構成部品に対する車椅子使用者の下肢の衝突を防止することができる。
【０００８】
また、本発明に係るコーナー型洗面台は、前記カウンター部材の下方に配置され、前記ボウル部との間で給排水を行う配管と、前記カウンター部材の下方で、前記配管よりも前記カウンター部材の前縁側に配置される配管カバーと、をさらに備える。このコーナー型洗面台では、前記アプローチ規制部は、前記配管カバーよりも前記鉛直交差線側であって前記配管カバーよりも下方に配置される。
【０００９】
このような構成によれば、カウンター部材の下方に配置される給排水用の配管の手前には配管カバーが配置されるので、車椅子使用者の下肢がカウンター部材の下方の空間に進入する場合に、車椅子使用者の下肢が配管に衝突することを防止することができる。しかも、アプローチ規制部は、配管カバーよりも鉛直交差線側であって配管カバーよりも下方に配置されるので、配管カバーの下方に車椅子使用者のつま先の進入を許容する空間を確保することができる。従って、コーナー型洗面台に対する車椅子使用者のアクセス性を向上させることができる。
【００１０】
また、本発明に係るコーナー型洗面台では、前記配管カバーから前記鉛直交差線に向かって前記アプローチ規制部までの距離は１６０ｍｍ〜２００ｍｍに設定されることが好ましい。
【００１１】
またさらに、本発明に係るコーナー型洗面台では、前記配管カバーから前記鉛直交差線に向かって前記アプローチ規制部までの距離は、前記アプローチ規制部に車椅子使用者のつま先が突き当たった時に前記配管カバーに車椅子使用者の下肢が当たらない程度に設定される。
【００１２】
上述したように、本発明に係るコーナー型洗面台では、車椅子使用者がコーナー型洗面台にアプローチした場合にそのつま先がアプローチ規制部に突き当たる。この時、車椅子使用者の下肢は配管カバーに当たらない程度に配管カバーが配置されているので、車椅子使用者の例えば膝やすねなどの下肢が配管カバーに当たる不快感を確実に緩和することができる。
【００１３】
また、本発明に係るコーナー型洗面台では、前記アプローチ規制部は、車椅子使用者のつま先が突き当たった時の衝撃を緩和する衝撃緩和手段を備える。
【００１４】
このような構成によれば、車椅子使用者がコーナー型洗面台にアプローチした場合に、そのつま先がアプローチ規制部に突き当たった時の衝撃を緩和することができるので、車椅子使用者の不快感も緩和することができる。
【００１５】
また、本発明に係るコーナー型洗面台では、前記衝撃緩和手段は、前記アプローチ規制部の前面に取り付けられた弾性部を有することが好ましい。
【００１６】
また、本発明に係るコーナー型洗面台では、前記衝撃緩和手段は前記アプローチ規制部の撓みによって実現されることが好ましい。
【００１７】
また、本発明に係るコーナー型洗面台では、前記アプローチ規制部は、当該コーナー型洗面台が設置される床面との間に隙間を形成する。
【００１８】
このような構成によれば、アプローチ規制部と床面との間には隙間が形成されているので、その隙間から例えばアプローチ規制部よりも鉛直交差線側の床面を清掃することができる。
【００１９】
また、本発明に係るコーナー型洗面台では、前記アプローチ規制部の前面は、当該コーナー型洗面台が設置される床面から上方に向かうにつれて前記鉛直交差線に近づく傾斜面から形成される。
【００２０】
このような構成によれば、アプローチ規制部の上端がコーナー型洗面台の奥側に傾くように構成されるので、アプローチ規制部を例えばペダルのように構成することができる。車椅子の使用時、車椅子使用者のつま先は上向きの姿勢で維持されるので、つま先がアプローチ規制部に突き当たった時に足裏がアプローチ規制部の傾斜面に接することになり、つま先に対する衝撃を緩和することができる。
【発明の効果】
【００２１】
本発明によれば、車椅子使用者の下肢の衝突を防止することができるコーナー型洗面台を提供することができる。
【図面の簡単な説明】
【００２２】
【図１】本発明の一実施形態に係るコーナー型洗面台の外観を概略的に示す斜視図である。
【図２】本発明の一実施形態に係るコーナー型洗面台の正面図である。
【図３】本発明の一実施形態に係るコーナー型洗面台の平面図である。
【図４】カウンター部材を取り外した状態のコーナー型洗面台の構造を概略的に示す平面図である。
【図５】衝突防止板を取り外した状態のコーナー型洗面台の構造を概略的に示す正面図である。
【図６】本発明の一実施形態に係るコーナー型洗面台の背面図である。
【図７】車椅子使用者がコーナー型洗面台を使用する様子を概略的に示す断面図である。
【図８】図７に対応し、本発明の別の実施形態に係るコーナー型洗面台を使用する様子を概略的に示す断面図である。
【図９】図７に対応し、本発明の別の実施形態に係るコーナー型洗面台を使用する様子を概略的に示す断面図である。
【図１０】図７に対応し、本発明の別の実施形態に係るコーナー型洗面台を使用する様子を概略的に示す断面図である。
【発明を実施するための形態】
【００２３】
以下、添付図面を参照しながら本発明の実施形態について説明する。説明の理解を容易にするため、各図面において同一の構成要素に対しては可能な限り同一の符号を付して、重複する説明は省略する。図１は、本発明の一実施形態に係るコーナー型洗面台１０の外観を概略的に示す斜視図である。コーナー型洗面台１０は、互いに交差する第１壁１１及び第２壁１２によって規定されたコーナー部１３に設置される。第１壁１１及び第２壁１２は、床面に直交する鉛直交差線ＣＬにおいて例えば９０度の角度で交差している。第１壁１１及び第２壁１２は、室内の壁でもよく、室外の壁でもよい。なお、図面において、第１壁１１及び第２壁１２はその一部分のみを図示している。
【００２４】
図２は、本発明の一実施形態に係るコーナー型洗面台１０の正面図である。図２を併せて参照すると、コーナー型洗面台１０は、第１壁１１に沿って配置された平板状の第１側板１４と、第２壁１２に沿って配置された平板状の第２側板１５と、を備えている。第１側板１４及び第２側板１５は互いに９０度の角度で前述の鉛直交差線ＣＬにおいて交差している。第１側板１４及び第２側板１５は、その下端で床面Ｆに受け止められ、その上端でカウンター部材１６を支持している。第１側板１４及び第２側板１５は例えばねじ１７などの固定部材によって第１壁１１及び第２壁１２にそれぞれ固定されている。
【００２５】
カウンター部材１６は、ボウル部１９と、このボウル部１９に一体化されて例えば床面に平行に広がるカウンター本体２０と、を備えている。カウンター本体２０はその後縁で第１側板１４及び第２側板１５の上端に受け止められるとともに、例えばＬ字ブラケット１８、１８によって第１側板１４及び第２側板１５にそれぞれ固定されている（図２参照）。カウンター部材１６は例えば陶器や人工大理石などの材料から形成されている。なお、他の実施形態として、ボウル部１９はカウンター本体２０とは別体に形成されていてもよい。カウンター本体２０には、ボウル部１９に向かって水や温水を吐水する水栓２１が取り付けられている。
【００２６】
図３は、本発明の一実施形態に係るコーナー型洗面台１０の平面図である。図１〜図３を併せて参照すると、水栓２１は、レバー２１ａと、水や温水を吐水する吐水口２１ｂと、を備えている。この水栓２１では、例えば、レバー２１ａの上げ下げによって吐水と止水とを切り替えることができ、レバー２１ａの左右の回転によって吐水される水の温度を調整することができる。ボウル部１９内には排水口２２が形成されており、水栓２１から吐水された水や温水は排水口２２から排出される。なお、水栓２１には、例えば差し出した手を検出するセンサによって水や温水が自動的に吐水される自動水栓が用いられてもよい。
【００２７】
カウンター部材１６は、鉛直交差線ＣＬに対向する前縁１６ａに例えば車椅子使用者の正面位置を規定する（図３参照）。言い替えれば、この前縁１６ａに車椅子使用者の胸のあたりが対向する。前縁１６ａは、第１壁１１及び第２壁１２に同一の角度（４５度）で交差する仮想直線ＶＬに沿って延びている。本実施形態では、第１壁１１から第２壁１２まで延びる仮想直線ＶＬの長さ、すなわち、コーナー型洗面台１０の間口は例えば１５００ｍｍ程度に設定される。前縁１６ａにおけるカウンター部材１６の床面Ｆからの高さは、例えば車椅子使用者の胸の高さに応じて設定される。胸の高さは例えば日本人の平均身長に基づき算出される。
【００２８】
カウンター部材１６はさらに、前縁１６ａの一端から第１壁１１まで延びる第１側縁１６ｂと、前縁１６ａの他端から第２壁１２まで延びる第２側縁１６ｃと、第１壁１１に接する第１後縁１６ｄと、第２壁１２に接する第２後縁１６ｅと、を規定している。第１後縁１６ｄ及び第２後縁１６ｅの長さ、すなわち、コーナー型洗面台１０の壁面設置寸法はそれぞれ例えば７００ｍｍ程度に設定される。本実施形態では、第１側縁１６ｂ及び第２側縁１６ｃは第１壁１１及び第２壁１２に対して直交する方向に延びている。なお、カウンター本体２０において、水栓２１の後方にあって第１後縁１６ｄ及び第２後縁１６ｅによって規定される三角形の領域は例えば鏡の配置スペースとして用いられる。
【００２９】
図４は、カウンター部材１６を取り外した状態のコーナー型洗面台１０の構造を概略的に示す平面図である。図１、図２及び図４を併せて参照すると、コーナー型洗面台１０は、床面Ｆから所定の高さで直立するアプローチ規制部２３を備える。アプローチ規制部２３は、鉛直交差線ＣＬよりもカウンター部材１６の前縁１６ａ側に前方に所定の距離で離間して配置される。本実施形態では、アプローチ規制部２３は、鉛直交差線ＣＬに平行で第１壁１１及び第２壁１２に同一の角度（４５度）で交差する仮想平面（図示せず）に沿って広がる平板から構成される。
【００３０】
図１及び図４から明らかなように、アプローチ規制部２３は、カウンター部材１６の前縁１６ａから鉛直交差線ＣＬに向かって後方に所定の距離で床面Ｆから直立している。その結果、アプローチ規制部２３よりもカウンター部材１６の前縁１６ａ側の前方の空間は、後述するように、例えば車椅子使用者のつま先を受け入れ可能な受け入れ空間を形成する。アプローチ規制部２３の床面Ｆからの高さは、車椅子使用者のつま先の高さに応じて設定される。つま先の高さは例えば日本人の平均身長等に基づき設定される。後述するように、アプローチ規制部２３は、車椅子使用者のつま先を突き当て可能に構成されており、コーナー型洗面台１０への車椅子のアプローチすなわち前進を規制する機能を果たす。
【００３１】
コーナー型洗面台１０はさらに、カウンター部材１６の下方に配置される配管カバー２４をさらに備える。配管カバー２４は、アプローチ規制部２３よりも上方かつ前方に配置されている。配管カバー２４は、アプローチ規制部２３の前面に沿って広がる仮想平面に平行な仮想平面（図示せず）に沿って広がる平板から構成される。図２から明らかなように、アプローチ規制部２３と配管カバー２４との間には高さ方向に所定の間隔で隔てられている。配管カバー２４は車椅子使用者の膝やすねが対向する位置に配置されている。アプローチ規制部２３及び配管カバー２４は例えばねじ２５などの固定部材によって第１側板１４及び第２側板１５に固定されている。
【００３２】
図５は、配管カバー２４を取り外した状態のコーナー型洗面台１０の構造を概略的に示す正面図である。特に図４及び図５を参照すると、カウンター部材１６の下方には、電気温水器２６及び排水トラップ２７が収容される例えば三角柱の形状の収容空間が形成されている。収容空間では、電気温水器２６が第１壁１１すなわち第１側板１４に沿って配置され、排水トラップ２７が第２壁１２すなわち第２側板１５に沿って配置されている。
【００３３】
図６は、第１壁１１及び第２壁１２から取り外された状態の本発明の一実施形態に係るコーナー型洗面台１０の背面図である。図６を併せて参照すると、第１側板１４及び第２側板１５には配管用の開口３１、３２がそれぞれ形成されている。図４、図５及び図６から明らかなように、本実施形態では、コーナー型洗面台１０に向かって左側の第１壁１１に給水管３３及び排水管３４が設置されており、従って、これら給水管３３及び排水管３４は第１側板１４の開口３１を通じて収容空間内に突出している。開口３１、３２の形状は、第１壁１１や第２壁１２に設置される給水管３３や排水管３４の位置に応じて適宜変更される。電気温水器２６や排水トラップ２７、給水管３３、排水管３４などの構成部品の前方には配管カバー２４が配置されているので、コーナー型洗面台１０の正面からこれらの構成部品を隠すことができる。このようにして配管カバー２４は化粧板としての機能を果たしている。
【００３４】
ここで、電気温水器２６は、電気温水器２６の筐体の内部に収容された貯湯タンクと、貯湯タンク内の水を所定の温度に加熱して維持するヒータと、を備えている（いずれも図示せず）。給水管３３は、電気温水器２６の貯湯タンクに接続されて貯湯タンクに水を供給する。前述した水栓２１のレバー２１ａの操作によって温水の吐水が選択されると、電気温水器２６の貯湯タンク内の温水が水栓２１に供給されて水栓２１から吐水される。その一方で、水の吐水が選択されると、給水管３３から直接水栓２１に水が供給される。レバー２１ａの操作によって選択された水温に応じて水と温水とが混合されて水栓２１に供給される。
【００３５】
図７は、車椅子使用者がコーナー型洗面台１０を使用する様子を概略的に示す断面図である。車椅子使用者３７が、その胸をカウンター部材１６の前縁１６ａに対向するように車椅子３８を前進させてカウンター部材１６の下方の空間に下肢を進入させていくと、車椅子使用者３７のつま先はつま先の受け入れ空間２３ａに進入していく。さらに車椅子３８が前進すると、車椅子使用者３７のつま先がアプローチ規制部２３に突き当たるので、車椅子使用者３７は車椅子３８の前進を停止させる。こうしてアプローチ規制部２３は車椅子３８のアプローチすなわち前進を規制する。この規制によって、車椅子使用者３７は、コーナー型洗面台１０の適切な使用位置に車椅子３８を停止させることができる。
【００３６】
このとき、図７から明らかなように、車椅子使用者３７の下肢すなわちすねや膝は配管カバー２４よりカウンター部材１６の前縁１６ａ側すなわち手前側に配置されている。このように、配管カバー２４の位置は、車椅子使用者３７の下肢が配管カバー２４に当たらないようにアプローチ規制部２３に対して調整されている。本実施形態では、床面Ｆに平行に配管カバー２４から鉛直交差線ＣＬに向かってアプローチ規制部２３までの距離Ｄは例えば１６０ｍｍ〜２００ｍｍに設定される。この距離Ｄは例えば日本人の平均身長に基づき設定される。
【００３７】
このような構成によれば、仮に、車椅子使用者３７が、アプローチ規制部２３につま先が突き当たった後に車椅子３８をさらに前進させたとしても、車椅子使用者３７の膝やすねは配管カバー２４に衝突するので、すねや膝が電気温水器２６や排水トラップ２７、給水管３３、排水管３４に衝突することを防止する。すなわち、配管カバー２４は衝突防止板としての機能を果たすことができる。このようにして電気温水器２６や排水トラップ２７、給水管３３、排水管３４の破損を防止することができる。
【００３８】
以上のような構成によれば、カウンター部材１６の下方に、互いに交差する第１壁１１及び第２壁１２の鉛直交差線ＣＬよりもカウンター部材１６の前縁１６ａ側にアプローチ規制部２３が配置される。このアプローチ規制部２３は、車椅子使用者３７がコーナー型洗面台１０にアプローチした際に、車椅子使用者３７のつま先を突き当て可能に構成されている。その結果、車椅子使用者３７の下肢がカウンター部材１６の下方の空間に進入し過ぎることを抑制することができるので、カウンター部材１６の下方に配置された構成部品に対する車椅子使用者３７の下肢の衝突を防止することができる。
【００３９】
また、カウンター部材１６の下方に配置される電気温水器２６や排水トラップ２７、給水管３３、排水管３４の手前には配管カバー２４が配置されるので、車椅子使用者３７の下肢がカウンター部材１６の下方の空間に進入する場合に、車椅子使用者３７の下肢が電気温水器２６や排水トラップ２７、給水管３３、排水管３４に衝突することを防止することができる。また、配管カバー２４によって電気温水器２６や排水トラップ２７、給水管３３、排水管３４を隠すことができるので、コーナー型洗面台１０の見栄えを向上させることもできる。
【００４０】
しかも、アプローチ規制部２３は、配管カバー２４よりも鉛直交差線ＣＬ側であって配管カバー２４よりも下方に配置されるので、配管カバー２４の下方に車椅子使用者３７のつま先の進入を許容する受け入れ空間２３ａを確保することができる。従って、コーナー型洗面台１０に対する車椅子使用者３７のアクセス性を向上させることができる。またさらに、車椅子使用者３７がコーナー型洗面台１０にアプローチした場合にそのつま先がアプローチ規制部２３に突き当たる。この時、車椅子使用者３７の下肢は配管カバー２４に当たらない程度に配管カバー２４が配置されているので、車椅子使用者３７の例えば膝やすねなどの下肢が配管カバー２４に当たる不快感を確実に緩和することができる。
【００４１】
図８は、本発明の別の実施形態に係るコーナー型洗面台１０の構造を概略的に示す部分断面図である。このコーナー型洗面台１０では、アプローチ規制部２３が、車椅子使用者３７のつま先が突き当たった時の衝撃を緩和する衝撃緩和手段を備える。例えば衝撃緩和手段として、図８に示すように、アプローチ規制部２３の前面に弾性部３９が取り付けられてもよい。弾性部３９は、例えばゴムなどの弾性材料から形成された平板から形成される。このような構成によれば、車椅子使用者３７のつま先がアプローチ規制部２３の弾性部３９に突き当たった時に弾性部３９によって衝撃を緩和することができるので、車椅子使用者３７の不快感を緩和することができる。また、弾性部３９に代えて、衝撃緩和手段はアプローチ規制部２３の撓みによって実現されてもよい。例えばアプローチ規制部２３自体がゴムなどの弾性材料から形成される。
【００４２】
図９は、本発明のさらに別の実施形態に係るコーナー型洗面台１０の構造を概略的に示す部分断面図である。このコーナー型洗面台１０では、アプローチ規制部２３は床面Ｆとの間に隙間４０を形成する。本実施形態では、隙間４０は、例えば床面Ｆに平行に規定されるアプローチ規制部２３の全幅にわたって均一な高さで形成される。なお、隙間４０は、アプローチ規制部２３の全幅の一部にのみ形成されてもよい。このような構成によれば、アプローチ規制部２３と床面Ｆとの間には隙間４０から鉛直交差線ＣＬ側すなわち奥側の床面Ｆを簡単に清掃することができるので、埃などが溜まりやすいコーナー型洗面台１０の隅を清潔に保つことができる。
【００４３】
図１０は、本発明のさらに別の実施形態に係るコーナー型洗面台１０の構造を概略的に示す部分断面図である。このコーナー型洗面台１０では、アプローチ規制部２３の前面が、床面Ｆから上方に向かうにつれて鉛直交差線ＣＬに近づく傾斜面から形成される。本実施形態では、アプローチ規制部２３は平板から形成されているので、傾斜面の形成にあたって、コーナー型洗面台１０の後方側にアプローチ規制部２３を傾斜させればよい。このような構成によれば、アプローチ規制部２３を例えばペダルのように構成することができる。車椅子使用者３７のつま先は一般に上向きの姿勢で維持されるので、つま先がアプローチ規制部２３に突き当たった時に足裏がアプローチ規制部２３の傾斜面に接することになり、つま先に対する衝撃を緩和することができる。
【００４４】
以上のようなコーナー型洗面台１０では、電気温水器２６が第１壁１１すなわち第１側板１４に沿って配置される一方で、排水トラップ２７が第２壁１２すなわち第２側板１５に沿って配置されてもよいことは言うまでもない。また、第１側板１４及び第２側板１５は省略されてもよく、その場合、カウンター部材１６は第１壁１１及び第２壁１２に直接固定されてもよい。また、給水管３３や排水管３４は、前述の第１壁１１や第２壁１２ではなく、床面Ｆに設置されてもよく、この場合、給水管３３や排水管３４は、アプローチ規制部２３の後方の空間に配置されることが好ましい。
【００４５】
以上の実施形態に加えて、上記実施形態で開示した具体例に当業者が適宜設計変更を加えたものも、本発明の特徴を備えている限りは本発明の範囲に包含される。例えば、前述した各実施形態が備える各要素およびその配置、材料、条件、形状、サイズなどは、例示したものに限定されるわけではなく適宜変更されてもよい。また、技術的に可能な限りにおいて、前述した各実施形態が備える各要素を組み合わせることができ、これらを組み合わせたものも本発明の特徴を含む限り本発明の範囲に包含される。
【符号の説明】
【００４６】
１０：コーナー型洗面台
１１：第１壁
１２：第２壁
１３：コーナー部
１６：カウンター部材
１６ａ：前縁
１９：ボウル部
２３：アプローチ規制部
２４：配管カバー
３３：配管（給水管）
３４：配管（排水管）
３７：車椅子使用者
３９：弾性部
４０：隙間
Ｆ：床面
ＣＬ：鉛直交差線
【図１】
0006465453.tif 000002
【図２】
0006465453.tif 000003
【図３】
0006465453.tif 000004
【図４】
0006465453.tif 000005
【図５】
0006465453.tif 000006
【図６】
0006465453.tif 000007
【図７】
0006465453.tif 000008
【図８】
0006465453.tif 000009
【図９】
0006465453.tif 000010
【図１０】
0006465453.tif 000011